(57)【特許請求の範囲】
【請求項１】
載置面を有する昇降自在な載置台と、注出口を有する注出具とを備え、載置面に載置され開口部を上向きにした状態の容器を起立させる下方位置から該下方位置より手前上方に位置して該容器を奥側に向かって傾斜させる上方位置まで、載置面を傾動させつつ上昇させることで、注出口を容器の上方から容器の内側へ位置させるようにした飲料品用ディスペンサにおいて、前記注出口の開口先端面が、傾動しながら上昇する容器の開口周縁部と接触するときに、開口先端面の手前側から奥側へ向かって順次接触させて容器の開口周縁部を奥側へ移動させつつ容器の内側へ位置するように形成されていることを特徴とする飲料品用ディスペンサ。
【請求項２】
上方に容器載置用空間を形成した載置面を有し、容器載置用空間を起立させる下方位置と該下方位置より手前上方に位置して容器載置用空間を奥側に向かって傾斜させる上方位置との間で、載置面を傾動させつつ昇降できるようにした載置台と、該載置面の上昇に伴い容器載置用空間の上方外側から容器載置用空間の内側へ位置する注出口を有する注出具とを備えた飲料品用ディスペンサにおいて、前記注出口の開口先端面が、上昇中の前記載置面の容器載置用空間の上面と交差するときに、開口先端面の手前側から奥側へ向かって順次交叉するように形成されていることを特徴とする飲料品用ディスペンサ。
【発明の詳細な説明】
【０００１】
【発明の属する技術分野】
本発明は、ジョッキ等の容器にビール等の飲料品を注入する飲料品用ディスペンサの改良に関するものである。
【０００２】
【従来の技術】
従来、飲料品用ディスペンサ１には、図７に示す如く、載置面２を有する昇降自在な載置台３と、注出口４を有する注出具５とを備え、載置面２に開口部Ｄａを上向きにした状態で載置された容器Ｄを、起立させる下方位置Ａ（同図（Ａ）参照）から該下方位置Ａより手前上方で奥側に向かって傾斜させる上方位置Ｂ（同図（Ｂ）参照）まで傾動させつつ上昇させることで、注出口４を容器Ｄの上方から容器Ｄの内側へ位置させるようにしたものがある。この飲料品用ディスペンサ１を用いてジョッキ等の容器Ｄにビール等の飲料品Ｅを注ぐ場合には、前半の注ぎ操作と後半の注ぎ操作とがあり、前半の注ぎ操作では載置台３の載置面２に載置した容器Ｄを下方位置Ａから上方位置Ｂまで上昇させた後に、傾斜状態の容器Ｄの側壁Ｄｃへ注出具５の注出口４から飲料品Ｅを注ぎ、後半の注ぎ操作では容器Ｄを上方位置Ｂから下方位置Ａへ降下させつつ注出口４から飲料品Ｅを注ぎ、これら両注ぎ操作を通じて容器Ｄに所定量の飲料品を注入するようにしている。前半の注ぎ操作において容器Ｄの側壁Ｄｃを流れ落ちるように飲料品Ｅを注ぐのは、飲料品中の炭酸ガスが抜け出るのを抑制して泡発生を少なくするためである。
【０００３】
また、飲料品用ディスペンサ１には、図９に示す如く、背丈及び外径の異なる大小の各容器Ｄに対応できるように、載置台３が上下の載置面６，２及び位置決め具７を備え、上方の載置面６を容器載置用空間（容器Ｄを載置するための空間）Ｓの外側へ起立させ（同図（Ｂ）参照）て下方の載置面２に大径の容器Ｄを載置させ、また、上方の載置面６を手前側へ伏倒させ（同図（Ａ）参照）て背丈の低い小径の容器Ｄを載置させるようにしたものがある。下方の載置面２は、載置台３が下方位置Ａ（図７（Ａ）参照）で容器Ｄを載置しているとき、水平状態となるようにしてある。同様に、上方の載置面６は、載置台３が下方位置Ａで容器Ｄを載置しているとき、水平状態となるようにしてあり、上下の載置面６，２が常に平行となるようにしてある。位置決め具７は、図１０に示す如く、左右に位置決め片７ａ，７ａを手前へ突設して、上下の載置面６，２の所定の注ぎ用載置位置に容器Ｄを位置させるものである。
【０００４】
【発明が解決しようとする課題】
ところで、空の容器Ｄは、下方の載置面２へ載置するときに、所定の注ぎ用載置位置（図７（Ａ）参照）から手前側へズレた位置に置かれることがある。このズレた状態で前半の注ぎ操作が行われるときには、容器Ｄを載置台３で傾動させつつ上昇させるときに、注出具５の注出口４の開口先端面４ａに容器Ｄの開口周縁部Ｄｂを衝突させて容器Ｄの上昇を阻止することがある（図８及び図３（Ａ）参照）。この衝突があるときには、容器Ｄを上方位置Ｂ（図７（Ｂ）参照）まで持ち上げることができずに注ぎ操作を中断させたり、最悪の場合には、持ち上げ動作継続中の載置台３の持上力で容器Ｄの開口周縁部Ｄｂを破損させる問題が生じる。
【０００５】
図１０に示すように前記位置決め具７で大小の容器Ｄを位置決めするとき、容器Ｄの外径が異なるため、小径の容器Ｄは奥側に位置し、大径の容器は手前側に位置することになる。そのため、前記位置決め具７の位置決め片７ａ，７ａの間隔Ｗ及び奥行き寸法Ｅを設定する場合、適応できる容器Ｄの外径の範囲にも限界がある。例えば、図９（Ａ）及び図１０（Ａ）に示すように小径の容器Ｄを基準として位置決め具７のこれら寸法を決定したとき、大径の容器Ｄが適用範囲を越えて大きくなると、これら同図（Ｂ）に示すように開口周縁部Ｄｂの奥側が手前側に位置して注出具５の注出口４の開口先端面４ａに衝突させることになるためである。しかし、飲料品用ディスペンサ１を使用するユーザーには、適用できる容器Ｄの外径の範囲を少しでも広げて、各種容器に対応できるようにしたい要請がある。
【０００６】
本発明は、上記問題を解決するために、載置面の所定の注ぎ用載置位置からズレた手前側に容器が載置されたとしても、容器の持ち上げ動作を中断させることなく飲料品を注ぐことができる飲料品用ディスペンサの提供を目的とする。
【０００７】
【課題を解決するための手段】
前者の目的を達成するために請求項１に記載の本発明が採用した手段は、載置面を有する昇降自在な載置台と、注出口を有する注出具とを備え、載置面に載置され開口部を上向きにした状態の容器を起立させる下方位置から該下方位置より手前上方に位置して該容器を奥側に向かって傾斜させる上方位置まで、載置面を傾動させつつ上昇させることで、注出口を容器の上方から容器の内側へ位置させるようにした飲料品用ディスペンサにおいて、前記注出口の開口先端面が、傾動しながら上昇する容器の開口周縁部と接触するときに、開口先端面の手前側から奥側へ向かって順次接触させて容器の開口周縁部を奥側へ移動させつつ容器の内側へ位置するように形成されていることを特徴とする飲料品用ディスペンサである。
【０００８】
また、前者の目的を達成するために請求項２に記載の本発明が採用した別手段は、上方に容器載置用空間を形成した載置面を有し、容器載置用空間を起立させる下方位置と該下方位置より手前上方に位置して容器載置用空間を奥側に向かって傾斜させる上方位置との間で、載置面を傾動させつつ昇降できるようにした載置台と、該載置面の上昇に伴い容器載置用空間の上方外側から容器載置用空間の内側へ位置する注出口を有する注出具とを備えた飲料品用ディスペンサにおいて、前記注出口の開口先端面が、上昇中の前記載置面の容器載置用空間の上面と交差するときに、開口先端面の手前側から奥側へ向かって順次交叉するように形成されていることを特徴とする飲料品用ディスペンサである。前記注出口の開口先端面を、前記容器載置用空間の上面と前記注出口の開口先端面との交差開始時における当該両面の挟む角が０°より大きい所定角度（好ましくは、２０°以上）となるように形成するのが好ましい。
【０００９】
請求項１及び２に記載の本発明にあっては、載置面の所定の注ぎ用載置位置から手前側へズレた位置に容器が載置され、この容器が下方位置から上方位置に向かって上昇する途中で、注出口の開口先端面に上昇中の容器の開口周縁部が当接しても、この当接が注出口の手前側から奥側へ向かって順次行われるため、注出口の開口先端面が容器の開口周縁部を奥側へ移動させつつ容器の内側へ位置させることになる。注出口の開口先端面に上昇中の容器の開口周縁部が接触を開始するとき、容器の開口部が形成する平面（容器載置用空間の上面）と注出口の開口先端面との挟む角が０°を越える所定角度（好ましくは、２０°以上）のときには、接触する注出口の開口先端面から容器の開口周縁部へ伝わって容器を奥側へ押圧する反力成分を大きくすることができるため、注出口の開口先端面が容器の開口周縁部を奥側へ確実に移動させつつ容器の内側へ進入できる。
【００１２】
【発明の実施の形態】
以下、本発明に係る飲料品用ディスペンサ（以下、「本発明ディスペンサ」という）を図面に示す実施の形態に基づいて説明する。
【００１３】
（第１の実施の形態）
図１乃至図３は本発明ディスペンサの第１の実施の形態を示すものであり、図１は本発明ディスペンサの全体を示す側面図、図２は本発明ディスペンサで容器を持ち上げている途中の要部を示すものであって、（Ａ）は注出口の開口先端面に上昇中の容器の開口周縁部が接触した直後を示す側面図、（Ｂ）は注出口の開口先端面が上昇中の容器の内側に進入している状態を示す側面図、図３は容器の開口周縁部と注出口の開口先端面との関係を拡大して示すものであって、（Ａ）は従来の飲料品用ディスペンサの場合の側面図、（Ｂ）は本発明ディスペンサの場合の側面図である。
【００１４】
本例の本発明ディスペンサ１１は、図１に示す如く、ディスペンサ本体１６と、本体１６の手前側となる正面の上方から下方に向かって設けられた注出具１５，昇降式の載置台３及びドリップ受容器１７とを備えている。該ディスペンサ本体１６は、図示は省略したが、飲料品を貯えるタンクと、飲料品を加熱または冷却する熱機器と、飲料品を注出具１５へ圧送するポンプ及び配管等を備えている。
【００１５】
前記昇降式の載置台３は、前記従来のものと実質的に同一であり、上方に容器載置用空間（容器Ｄを載置するための空間）Ｓを形成した載置面２を有する台本体２０と、台本体２０の奥側上方を揺動自在に支持する支持軸２１と、支持軸２１を取付けた支持箱２２と、支持箱２２に内蔵されて台本体２０を揺動操作するカム機構やリンク機構等からなる操作具（図示略）とを備えている。載置台３は、容器載置用空間Ｓを起立させる下方位置Ａ（図１参照）と該下方位置Ａより手前上方に位置して容器載置用空間Ｓを奥側に向かって傾斜させる上方位置Ｂ（図２（Ｂ）参照）との間で、載置面２を傾動させつつ昇降させるようにしてある。なお、載置台３は、小型乃至中型の容器を載置するための載置面６を揺動自在に備え、載置面２を大型の容器用としてある。
【００１６】
前記注出具１５は、注出口１４と、開閉レバー１８と、開閉レバー１８を操作する操作具１９とを備えている。注出具１５は、ビール等を注ぐ仕様では、手前側に注出口２４を備え、奥側の注出口１４を液体用にすると共に手前側の注出口２４を泡用にしてある。注出具１５は、固定配置され、前記載置台３の載置面２の上昇に伴い、その注出口１４，２４が容器載置用空間Ｓの上方外側から容器載置用空間Ｓの内側へ位置するようになっている。
【００１７】
奥側の注出口１４は、載置面２に載置されて上昇する途中の容器Ｄの開口周縁部Ｄｂと接触することがあるため、次の如き改良が施されている。すなわち、注出口１４は、図３（Ｂ）に示す如く、その開口先端面１４ａを、支持軸２１を中心として載置面２と共に上昇中の容器載置用空間Ｓの上面Ｓａと交差するときに、開口先端面１４ａの手前側から奥側へ向かって順次交叉するように形成してある。具体的には、上昇中の容器載置用空間Ｓの上面Ｓａと開口先端面１４ａとの交差開始時における当該両面Ｓａ，１４ａの挟む角θが０°より大きい所定角度（好ましくは、２０°以上）となるように、開口先端面１４ａが形成されている。このように形成された開口先端面１４ａは、載置面２に載置されて傾動しながら上昇する容器Ｄの開口周縁部Ｄｂと接触するときに、開口先端面１４ａの手前側から奥側へ向かって順次接触させて開口周縁部Ｄｂを奥側へ押圧移動させつつ容器Ｄの内側へ位置するようになる。
【００１８】
前記挟む角θが０°を越える所定角度（好ましくは、２０°以上）のときには、注出口１４の開口先端面１４ａから容器Ｄの開口周縁部Ｄｂへ伝わって容器Ｄを奥側へ押圧する反力成分を大きくすることができるため、注出口１４の開口先端面１４ａは容器Ｄの開口周縁部Ｄｂを奥側へ確実に移動させつつ容器Ｄの内側へ進入できる。
【００１９】
本例の本発明ディスペンサ１１は、載置面２の所定の注ぎ用載置位置から手前側へズレた位置に容器Ｄが載置され、この容器Ｄが下方位置Ａ（図１参照）から上方位置Ｂ（図７（Ｂ）参照）に向かって上昇する途中で、図３（Ｂ）に示すように、注出口１４の開口先端面１４ａに上昇中の容器Ｄの開口周縁部Ｄｂが当接しても、この当接が注出口１４の手前側から奥側へ向かって順次行われるため、注出口１４の開口先端面１４ａが容器Ｄの開口周縁部Ｄｂを奥側へ移動させつつ容器Ｄの内側へ進入することになり、注ぎ操作の中断や容器Ｄの開口周縁部Ｄｂの破損を生じさせることなく、容器Ｄに対して飲料品Ｅを円滑に注ぐことができる。
【００２０】
（第２の実施の形態）
図４乃至図６は本発明ディスペンサの第２の実施の形態を示すものであり、図４は容器を載置していない状態の本発明ディスペンサの要部を示すものであって、（Ａ）は正面図、（Ｂ）は右側面、図５は小径の容器Ｄを本発明ディスペンサに適用した要部を示すものであって、（Ａ）は容器Ｄを上昇させる前の状態の側面図、（Ｂ）は容器Ｄを上昇させて飲料品を注ぐことができる状態の側面図、図６は大径の容器Ｄを本発明ディスペンサに適用した要部を示すものであって、（Ａ）は容器Ｄを上昇させる前の状態の側面図、（Ｂ）は容器Ｄを上昇させて飲料品を注ぐことができる状態の側面図である。
【００２１】
本例の本発明ディスペンサ３１が前記第１の実施の形態に係る本発明ディスペンサ１１（図１乃至図３参照）と大きく相違する点は、図４に示す如く、載置台３３が下方位置Ａに停止しているときに、載置可能となるように手前の載置位置へ伏倒した上方の載置面３６に対して下方の載置面３２が手前側から奥側へ向かって下る傾斜した状態となり、載置台３３が昇降する間もこの傾斜した関係を維持するようにしたことである。この相違点以外の構成は、前記本発明ディスペンサ１１と実質的に同一である。本例においても、注出口４については、図３（Ｂ）に示す前記第１の実施の形態で施した注出口１４の開口先端面１４ａに関する改良を併せて施す。
【００２２】
前記昇降式の載置台３３は、上方に共通の容器載置用空間（容器Ｄを載置するための空間）Ｓを形成できる上下の載置面３６，３２と、容器載置用空間Ｓの外側に配置して容器載置用空間Ｓの奥側に面する位置決め具７と、上下の載置面３６，３２を取着する台本体２０と、台本体２０の奥側上方を揺動自在に支持軸２１で支持する支持箱２２と、支持箱２２に内蔵されて台本体２０を揺動操作するカム機構やリンク機構等からなる操作具（図示略）とを備えている。載置台３３は、容器載置用空間Ｓを起立させる下方位置Ａ（図４，図５（Ａ），図６（Ａ）参照）と該下方位置Ａより手前上方に位置して容器載置用空間Ｓを奥側に向かって傾斜させる上方位置Ｂ（図５（Ｂ），図６（Ｂ）参照）との間で、載置面３６，３２を傾動させつつ昇降するようにしてある。
【００２３】
上下の載置面３６，３２は、一体化され、台本体２０に対する取着位置を上下方向に沿って変更できるようにしてある。同様に、位置決め具７は、台本体２０に対する取着位置を上下方向に沿って変更できるようにしてある。これら取着位置の変更は、例えば、台本体２０にビス孔２０ａ（２０ｂ）を上下方向に沿って適宜ピッチ毎に設け、複数のビス孔２０ａ（２０ｂ）から適宜選択してビス３７，３７で取着するようにしてある。なお、上下の載置面３６，３２は、別体に形成して（図示略）、台本体２０に対して個別に取着位置を変更できるように取付けることも可能である。
【００２４】
前記上方の載置面３６は、台本体２０にビス３７，３７で取着されるブラケット３８の左右に軸支３９，３９して、台本体２０の手前側へ伏倒する載置位置（図４参照）から容器載置用空間Ｓの奥側より更に外側で起立する待機位置（図６参照）まで揺動できるようにしてある。ブラケット３８及び下方の載置面３２は、ステンレス鋼板を折曲げ加工する等して一体に形成してある。
【００２５】
前記下方の載置面３２は、載置台３３が起立する下方位置Ａ（図４参照）で停止しているとき、水平又は略水平な上方の載置面３６に対して交差角度α（例えば、α＝５°）となるように、手前側から奥側へ向かって下る傾斜した状態となるため、注ぐために載置した大径の容器Ｄを奥側へ押し込む分力を容器Ｄに生じさせ、図６に示すように容器Ｄを位置決め具７に当接させて確実に位置決めできる。下方の載置面３２は、奥側に起立するように形成した位置決め用段部からなる位置決め部４０が設けられ、載置した容器Ｄの底面が所定位置から更に奥側へ移動するのを阻止してある。位置決め部４０は、段部以外に、載置面３２から突設した停止片等で形成することもある。
【００２６】
前記下方の載置面３２に載置されて位置決め具７及び位置決め部４０で位置決めした大径の容器Ｄは、図６に示すように、開口周縁部Ｄｂが奥側へ位置するように傾斜して開口周縁部Ｄｂの奥側と台本体２０との間隔Ｇを短くし両者Ｄｂ，２０を接近させているため、載置台３３が傾動しつつ上昇して上方位置Ｂ（同図（Ｂ）参照）へ至るとき、注出口４の開口先端面４ａに開口周縁部Ｄｂの奥側を衝突させる事態を回避できる。その結果、本例は、従来の傾斜しない下方の載置面２が載置できる容器Ｄよりも大径の容器Ｄを載置して飲料品を注ぐことが可能となり、適用できる容器の外径の範囲を従来より少しでも広げて、各種容器に対応できるようにしたい要請に応えることができる。
【００２７】
前記下方の載置面３２は、前記の如く注ぐために載置した大径の容器Ｄを奥側へ自然と押し込むため、手前側へ脱落することを阻止できる。そのため、下方の載置面３２は、上面に滑止め用ゴム板を貼着していない。これに対して、前記上方の載置面３６は、図４に示すように、載置台３３が起立する下方位置Ａで停止しているときに水平又は略水平となる（すなわち、台本体２０に対して直角又は略直角となる）ため、上面に滑止め用ゴム板４１を貼着してある。
【００２８】
【発明の効果】
請求項１及び２に記載の本発明ディスペンサは、載置面の所定の注ぎ用載置位置から手前側へズレた位置に載置された容器が持ち上げられても、注出口の開口先端面が上昇中の容器の開口周縁部を奥側へ移動させつつ容器の内側へ進入するため、注ぎ操作の中断や容器の開口周縁部の破損を生じさせることなく、容器に対して飲料品を円滑に注ぐことができる。
【図面の簡単な説明】
【図１】本発明ディスペンサの第１の実施の形態を示すものであり、全体を示す側面図である。
【図２】第１の実施の形態の本発明ディスペンサで容器を持ち上げている途中の要部を示すものであって、（Ａ）は注出口の開口先端面に上昇中の容器の開口周縁部が接触した直後を示す側面図、（Ｂ）は注出口の開口先端面が上昇中の容器の内側に進入している状態を示す側面図である。
【図３】容器の開口周縁部と注出口の開口先端面との関係を拡大して示すものであって、（Ａ）は従来の飲料品用ディスペンサの場合の側面図、（Ｂ）は第１の実施の形態の本発明ディスペンサの場合の側面図である。
【図４】本発明ディスペンサの第２の実施の形態を示すものであって、容器を載置していない状態の要部を示すものであり、（Ａ）は正面図、（Ｂ）は右側面である。
【図５】第２の実施の形態において、小径の容器を適用した状態の要部を示すものであって、（Ａ）は容器を上昇させる前の状態の側面図、（Ｂ）は容器を上昇させて飲料品を注ぐことができる状態の側面図である。
【図６】第２の実施の形態において、大径の容器を本発明ディスペンサに適用した要部を示すものであって、（Ａ）は容器を上昇させる前の状態の側面図、（Ｂ）は容器を上昇させて飲料品を注ぐことができる状態の側面図である。
【図７】従来の飲料品用ディスペンサを用いて容器に飲料品を注ぐ操作を示すものであって、（Ａ）は載置面の所定位置に容器を載置した状態を示す側面図、（Ｂ）は持ち上げられて傾動している容器に注出口から飲料品を注ぐ状態を示す側面図である。
【図８】従来の飲料品用ディスペンサを用いて容器を持ち上げる途中で、注出口の開口先端面に容器の開口周縁部が衝突している状態を示す側面図である。
【図９】従来の飲料品用ディスペンサを用いて容器を持ち上げる途中で、（Ａ）は小径の容器へ注ぐことが可能な状態を示す側面図、（Ｂ）は大径の容器を持ち上げる途中で、注出口の開口先端面に容器の開口周縁部が衝突している状態を示す側面図である。
【図１０】位置決め具で容器を位置決めしている状態を示すものであり、（Ａ）は小径の容器に関する平面図、（Ｂ）は大径の容器に関する平面図である。
【符号の説明】
２（３２）…載置面、６（３６）…載置面、３（３３）…載置台、１４…注出口、１４ａ…開口先端面、１５…注出具、Ｄ…容器、Ｄａ…開口部、Ｄｂ…開口周縁部、Ａ…下方位置、Ｂ…上方位置
【図１】
0003896293.tif 000002
【図２】
0003896293.tif 000003
【図３】
0003896293.tif 000004
【図４】
0003896293.tif 000005
【図５】
0003896293.tif 000006
【図６】
0003896293.tif 000007
【図７】
0003896293.tif 000008
【図８】
0003896293.tif 000009
【図９】
0003896293.tif 000010
【図１０】
0003896293.tif 000011